(57)【要約】【課題】指操作に依存せずに使用でき、指先に大きい操作力を必要としない挟持具を提供する。【解決手段】挟持具１００は、物を挟むためのものであって、対向する面の圧接力により物が挟持される挟持部１１０と、弧状に屈曲することによる弾性により挟持部１１０の圧接力を変化させる弾性部１２０と、挟持部１１０と弾性部１２０との間に設けられ、相対回転可能に嵌合し、相対回転することで弾性部１２０の弾性力を挟持部１１０の圧接力に変換する嵌合部１３０と、嵌合部１３０と弾性部１２０との間に設けられ、押圧操作することにより挟持部１１０の圧接力を変化させる操作部１４０と、を備え、挟持部１１０、弾性部１２０、嵌合部１３０及び操作部１４０が一体の１つの部品からなることを特徴とする。よって、指操作に依存せずに使用でき、指先に大きい操作力を必要としない。【選択図】図１
2019000238.tif 000002
【特許請求の範囲】
【請求項１】
物を挟むための挟持具であって、
対向する面の圧接力により物が挟持される挟持部と、
弧状に屈曲することによる弾性により前記挟持部の圧接力を変化させる弾性部と、
前記挟持部と前記弾性部との間に設けられ、相対回転可能に嵌合し、相対回転することで前記弾性部の弾性力を前記挟持部の圧接力に変換する嵌合部と、
前記嵌合部と前記弾性部との間に設けられ、押圧操作することにより前記挟持部の圧接力を変化させる操作部と、
を備え、
前記挟持部、前記弾性部、前記嵌合部及び前記操作部が一体の１つの部品からなることを特徴とする、挟持具。
【請求項２】
前記弾性部は、二重の肉薄の円弧状部からなることを特徴とする、請求項１に記載の挟持具。
【請求項３】
前記弾性部は、肉薄の円弧状部と、前記円弧状部の内周に連なる肉薄の円部とからなることを特徴とする、請求項１に記載の挟持具。
【請求項４】
前記操作部から前記挟持部の方向に突出して設けられ、前記操作部を押圧操作するための操作レバーをさらに備え、
前記挟持部、前記弾性部、前記嵌合部、前記操作部及び前記操作レバーが一体の１つの部品からなることを特徴とする、請求項１〜３のいずれかに記載の挟持具。
【請求項５】
前記操作レバーの先端が、前記挟持部の先端まで延在することを特徴とする、請求項４に記載の挟持具。
【請求項６】
前記操作レバーの内側には梃子用突起部が設けられ、前記操作レバーを押圧操作することにより、前記梃子用突起部の作用で前記挟持部の圧接力が変化することを特徴とする、請求項４又は５に記載の挟持具。
【発明の詳細な説明】
【技術分野】
【０００１】
本発明は、物を挟む挟持具にかかり、特に洗濯物を挟む洗濯ばさみなどの挟持具に関する。
【背景技術】
【０００２】
従来の挟持具として洗濯ばさみの形状をした挟持具について説明する。挟持具６００は、図１１に示したように、指で挟み操作する把持部６４０と、洗濯物などの物品を挟持する挟持部６１０と、物品を挟持した状態で挟持部６１０を保持する金属リング６５０と、の３部品で構成されたものが知られている。把持部６４０と挟持部６１０とは一体に成形されて、把持部６４０と挟持部６１０との間付近に回動支点となる嵌合部６３０が設けられる。把持部６４０と挟持部６１０とは左右一対に設けられ、嵌合部６３０で嵌合される。金属リング６５０は、嵌合部６３０を間にして左右の部品を貫通して左右の部品に固定される（例えば、特許文献１〜３参照）。
【０００３】
図１１に例示されるような挟持具は、具体的には、嵌合部６３０の中心部から把持部６４０の端部までは３〜５ｃｍの範囲に収められる。挟持部６１０は、金属リングの中心から２〜６ｃｍの範囲に形成されている。金属リングは、挟持部６１０に物品を挟持するためのバネ力を与えるもので、直径１．２ｍｍ前後のワイヤーを用いた直径２０〜３０ｍｍ程度のリング状に構成されている。
【０００４】
その他、挟持具にはいろいろな外形スタイルや素材、サイズ、加工方法のものがあり、挟持具全体を針金によって構成したものや、金属加工したものもあるが、いずれも構造的には大同小異である。
【先行技術文献】
【特許文献】
【０００５】
【特許文献１】特開２０１１−３０８７０号公報
【特許文献２】特開２００４−６５７５６号公報
【特許文献３】特開２００４−２６７６５８号公報
【発明の概要】
【発明が解決しようとする課題】
【０００６】
従来の挟持具は、指操作に依存して使用するため、指先に大きい操作力を要する。そのため、女性や高齢者、子供などの指先の力が弱い者には扱い難いという問題があった。
【０００７】
そこで本発明は、このような問題に鑑みてなされたもので、その目的とするところは、指操作に依存せずに使用でき、指先に大きい操作力を必要としない、新規かつ改良された挟持具を提供することにある。
【課題を解決するための手段】
【０００８】
上記課題を解決するために、本発明によれば、物を挟むための挟持具であって、対向する面の圧接力により物が挟持される挟持部と、弧状に屈曲することによる弾性により前記挟持部の圧接力を変化させる弾性部と、前記挟持部と前記弾性部との間に設けられ、相対回転可能に嵌合し、相対回転することで前記弾性部の弾性力を前記挟持部の圧接力に変換する嵌合部と、前記嵌合部と前記弾性部との間に設けられ、押圧操作することにより前記挟持部の圧接力を変化させる操作部と、を備え、前記挟持部、前記弾性部、前記嵌合部及び前記操作部が一体の１つの部品からなることを特徴とする、挟持具が提供される。
【０００９】
かかる構成によれば、嵌合部と弾性部との間に操作部を設けることにより、指先だけでなく手のひらで操作部を把持して操作することができる。このように、指操作に依存せずに使用でき、指先に大きい操作力を必要としないため、指先に強い力を必要とせずに容易に把持操作ができる。よって、女性、子供、高齢者にも容易に扱うことができる。
【００１０】
また、嵌合部を挟んだ対向位置に弾性部と挟持部とを配したことにより、操作部の寸法を大きく確保することができ、操作部を任意の大きさ、形状に形成できる。
【００１１】
さらに一体の１つの部品（例えば、一体成型された部品）からなることにより、１嵌合で製作ができ、省資源化・省エネ化・低コスト化にも貢献できる。また、強度の異なる部品を強制的に嵌合する際に生じる破損も避けることができる。
【００１２】
本発明は様々な応用が可能である。以下の応用例は適宜組み合わせることができる。例えば、前記弾性部は、二重の肉薄の円弧状部からなってもよい。かかる構成によれば、バネ性が強化できる。
【００１３】
また、本発明によれば、前記弾性部は、肉薄の円弧状部と、前記円弧状部の内周に連なる肉薄の円部とからなってもよい。かかる構成によれば、円弧状部の内周に連なる肉薄の円部にすることで、バネ性が強化でき、さらに円の内側空洞部分に竿やハンガー等の物を通し易い。
【００１４】
また、本発明によれば、前記操作部から前記挟持部の方向に突出して設けられ、前記操作部を操作するための操作レバーをさらに備え、前記挟持部、前記弾性部、前記嵌合部、前記操作部及び前記操作レバーが一体の１つの部品からなるようにしてもよい。操作部から挟持部の方向に突出するように操作レバーを設けることにより、操作レバーの寸法を大きく確保することができ、操作レバーを任意の大きさ、形状に形成できる。
【００１５】
また、本発明によれば、前記操作レバーの先端が、前記挟持部の先端まで延在してもよい。かかる構成によれば、操作レバーが挟持部の先端まで延在していることで、挟持部を開くときの把持操作が、操作レバーが短いときよりも弱い力で動作することが可能になる。
【００１６】
また、本発明によれば、前記操作レバーの内側には梃子用突起部が設けられ、前記操作レバーを押圧操作することにより、前記梃子用突起部の作用で前記挟持部の圧接力が変化するようにしてもよい。かかる構成によれば、操作レバーを操作すると、梃子用突起部が梃子の働きをして挟持部の操作性を向上させることができる。また、より小さい操作力で操作レバーを操作することができる。
【発明の効果】
【００１７】
本発明によれば、指操作に依存せずに使用でき、指先に大きい操作力を必要としない、新規かつ改良された挟持具が提供される。本発明のその他の効果については、後述する発明を実施するための形態においても説明する。
【図面の簡単な説明】
【００１８】
【図１】第１の実施形態の洗濯ばさみ１００を説明するための図であり、（ａ）は正面図であり、（ｂ）は平面図であり、（ｃ）は側面図であり、（ｄ）は底面図である。
【図２】洗濯ばさみ１００の組み立て手順について説明するための図であり、（ａ）は組み立て前の状態を示す図であり、（ｂ）は組み立て後の状態を示す図である。
【図３】組み立て時の嵌合部１３０の状態を示す図であり、（ａ）は嵌合前の状態を示す図であり、（ｂ）は嵌合後の状態を示す図である。
【図４】洗濯ばさみ１００の作用を説明するための図である。
【図５】第２の実施形態の洗濯ばさみ２００を説明するための図であり、（ａ）は正面図であり、（ｂ）は組み立て前の状態を示す図である。
【図６】第３の実施形態の洗濯ばさみ３００を説明するための図であり、（ａ）は正面図であり、（ｂ）は平面図であり、（ｃ）は側面図であり、（ｄ）は底面図である。
【図７】洗濯ばさみ３００の組み立て前の状態を示す図である。
【図８】第４の実施形態の洗濯ばさみ４００を説明するための図であり、（ａ）は正面図であり、（ｂ）は組み立て前の状態を示す図である。
【図９】使用時の洗濯ばさみ４００の状態を説明するための図であり、（ａ）は使用時に力を加える部分を示す図であり、（ｂ）は力を加えた後の洗濯ばさみ４００の状態を示す図である。
【図１０】第５の実施形態の洗濯ばさみ５００を説明するための図であり、（ａ）は挟持部が閉じた状態を示す図であり、（ｂ）は挟持部が開いた状態を示す図である。
【図１１】従来の挟持具６００を説明するための図であり、（ａ）は正面図であり、（ｂ）は使用状態を示す図である。
【発明を実施するための形態】
【００１９】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２０】
（第１の実施形態）
第１の実施形態の洗濯ばさみ（挟持具）１００について、図１を参照しながら説明する。図１は本実施形態の洗濯ばさみ１００を説明するための図であり、（ａ）は正面図であり、（ｂ）は平面図であり、（ｃ）は側面図であり、（ｄ）は底面図である。
【００２１】
洗濯ばさみ１００は、物を挟むための挟持具であって、図１に示したように、対向する面の圧接力により物が挟持される挟持部１１０と、弧状に屈曲することによる弾性により挟持部１１０の圧接力に変化させる弾性部１２０と、挟持部１１０と弾性部１２０との間に設けられ、相対回転可能に嵌合し、相対回転することで弾性部１２０の弾性力を挟持部１１０の圧接力に変換する嵌合部１３０と、嵌合部１３０と弾性部１２０との間に設けられ、押圧操作することにより挟持部１１０の圧接力を変化させる操作部１４０と、を備える。そして、挟持部１１０、嵌合部１３０、弾性部１２０及び操作部１４０が一体成型された１つの部品からなることを特徴とする。洗濯ばさみ１００は、例えば、ＰＰ樹脂を用いて一体成型で構成されることができる。以下、洗濯ばさみ１００の各構成要素について詳細に説明する。
【００２２】
（挟持部１１０）
挟持部１１０は、対向する面の圧接力により洗濯物を挟む部分である。挟持部１１０は、図１に示したように、洗濯ばさみ１００の一方の端に位置している。挟持部１１０は、操作部１４０に力が加わることで開閉し、物を挟むことが可能になる。挟持部１１０は、嵌合部１３０を挟んで弾性部１２０と反対位置にある。挟持部１１０は、後述のように、左右を閉じ合わせて嵌合部１３０が嵌合されると、弾性部１２０の弾性力により左右の挟持部１１０が固く閉じあう。
【００２３】
（弾性部１２０）
弾性部１２０は、円弧状に屈曲することによる弾性により挟持部１１０の圧接力を変化させる部分である。弾性部１２０は、図１で示したように、左右の操作部１４０の上部を円弧状に結合した場所にある。弾性部１２０は、嵌合部１３０を挟んで挟持部１１０と反対位置に配設されている。弾性部１２０は、二重の薄肉の円弧状に形成されている。
【００２４】
（嵌合部１３０）
嵌合部１３０は、挟持部１１０と弾性部１２０との間に設けられ、相対回転可能に嵌合し、相対回転することで弾性部１２０の弾性力を挟持部１１０の圧接力に変換するものである。嵌合部１３０は、図１に示したように、挟持部１１０と弾性部１２０との間に設けられ、左右の部材の回動支点となっている。嵌合部１３０は、左右に設けられている円筒形状の嵌合突部１３２と嵌合凹部１３４とを前後方向から相対回転可能に嵌め合わせことにより構成されている。
【００２５】
嵌合部１３０は、操作部１４０を押圧操作することにより回動し、よって挟持部１１０が左右に広がる。また反対に、操作部１４０を押圧操作しない状態にすると弾性部１２０からの戻る力により嵌合部１３０が回動し、左右の挟持部１１０が固く閉じる。
【００２６】
（操作部１４０）
操作部１４０は、押圧操作することにより挟持部１１０の圧接力を変化させるものである。操作部１４０は、図１で示したように、弾性部１２０と嵌合部１３０の間に配設されている。操作部１４０から挟持部の方向に突出するように操作レバー１４２が設けられる。操作レバー１４２は、左右対称になっており、操作レバー１４２に左右から圧力を加えることにより操作部１４０が押圧操作されて、上部の弾性部１２０に圧力が加わり弧状の形状が変形する。
【００２７】
操作レバー１４２は、挟持部１１０側からの操作により操作部１４０を介して弾性部１２０に圧力を加える。よって、操作レバー１４２は、上方（弾性部１２０側）からでも、下方（挟持部１１０側）からでも操作が可能となる。また、操作レバー１４２が下方に向けて長く配設されていることで、挟持部１１０を開くときの把持操作が、レバーが短いときよりも弱い力で動作することが可能になる。
【００２８】
以上、洗濯ばさみ１００の各構成について説明した。次に、洗濯ばさみ１００の組み立てについて、図２及び図３を参照しながら説明する。図２は、洗濯ばさみ１００の組み立て手順について説明するための図であり、（ａ）は組み立て前の状態を示す図であり、（ｂ）は組み立て後の状態を示す図である。図３は、組み立て時の嵌合部１３０の状態を示す図であり、（ａ）は嵌合前の状態を示す図であり、（ｂ）は嵌合後の状態を示す図である。
【００２９】
洗濯ばさみ１００は、図２（ａ）に示したように、一体の１つの部品からなる。洗濯ばさみは、例えば一体成型により形成することができる。洗濯ばさみ１００は中央の弾性部１２０を挟んで、操作部１４０、操作レバー１４２、嵌合部１３０及び挟持部１１０、弾性部１２０が広角度に開いた左右対称に形成されている。このように、洗濯ばさみ１００は、弾性部１２０が存在することにより、挟持部１１０、嵌合部１３０及び操作レバー１４２の一体形成が実現している。
【００３０】
一体形成された左右の嵌合部１３０を、図２（ａ）の矢印Ａで示したように、接近させる。そして、図３（ａ）の矢印Ａに示したように、左側の嵌合突部１３２を右側の嵌合凹部１３４に挿入する。よって、嵌合突部１３２と嵌合凹部１３４とが、図３（ｂ）に示したように、相対回転可能に嵌合する。すると、図２（ｂ）に示す洗濯ばさみ１００が構成される。洗濯ばさみ１００は、左右を閉じ合わせて嵌合部１３０で嵌合したことにより、図２（ｂ）の矢印Ｂで示したように、上部の弧状の弾性部１２０にバネ力が保持される。この結果、図２（ｂ）の矢印Ｃで示したように、左右の挟持部１１０が固く閉じあう。
【００３１】
以上、洗濯ばさみ１００の組み立てについて説明した。次に、洗濯ばさみ１００の作用について、図４を参照しながら説明する。図４は、洗濯ばさみ１００の作用を説明するための図である。
【００３２】
洗濯ばさみ１００を使用するときには、図４に示したように、左右の操作レバー１４２を互いに近づける方向に握る。よって、左右の操作部１４０には、図４の矢印Ｄで示したように、互いに近づく方向の圧力がかかる。このため、嵌合部１３０が回動して、挟持部１１０に図４の矢印Ｅで示した方向に力が加わり、挟持部１１０が左右に広がる。また、同時に、弾性部１２０が変形するため、弾性部１２０には図４の矢印Ｆに示したように戻ろうとする力が加わる。よって、操作レバー１４２に圧力をかけない状態にすると、弾性部１２０からの戻る力により嵌合部１３０が回動し左右の挟持部１１０が固く閉じる。
【００３３】
（第１の実施形態の効果）
以上説明したように、本実施形態によれば、嵌合部１３０と弾性部１２０との間から挟持部１１０の方向に突出するように操作レバー１４２を設けることにより、指先だけでなく手のひらで操作レバー１４２を把持して押圧操作することができる。このように、指操作に依存せずに使用でき、指先に大きい操作力を必要としないため、指先に強い力を必要とせずに容易に把持して押圧操作ができる。よって、女性、子供、高齢者にも容易に扱うことができる。また、下方から操作レバー１４２を操作することができるため、上方から操作しづらい局部的なところや高めの位置に留められたものにも使用することができる。
【００３４】
挟持部１１０、嵌合部１３０、操作レバー１４２、及び左右の操作レバー１４２の操作部１４０の上端を連結する弧状の弾性部１２０を一体形成し、左右の各部を閉じ合わせて嵌合部１３０を嵌合することにより、嵌合部１３０が回動支点となり、製品全体に相関的な弾性部１２０の効果により把持操作が容易にできる。
【００３５】
また、嵌合部１３０を挟んだ対向位置に挟持部１１０と円弧状の弾性部１２０とを配したことにより、操作レバー１４２の寸法を大きく確保することができ、操作レバー１４２を任意の大きさ、形状に形成できる。
【００３６】
洗濯ばさみ１００を一体の１つの部品（一体成型された部品）から構成することにより、嵌合部１３０を１嵌合するだけで製作ができ、省資源化・省エネ化・低コスト化にも貢献できる。また、強度の異なる部品を強制的に嵌合する際に生じる破損も避けることができる。
【００３７】
（第２の実施形態）
第２の実施形態の洗濯ばさみ２００について、図５を参照しながら説明する。図５は第２の実施形態の洗濯ばさみ２００を説明するための図であり、（ａ）は正面図であり、（ｂ）は組み立て前の状態を示す図である。本実施形態は、上記第１の実施形態とは弾性部が肉薄の円弧状部と、円弧状部の内周に連なる肉薄の円部とからなる点が異なるものであり、その他の構成は第１の実施形態と同様である。本実施形態では、上記第１の実施形態と異なる点を中心に説明する。実質的に同一の機能構成を有する構成要素については、同一の符号を付することにより重複説明を省略する。
【００３８】
本実施形態の挟持部２１０、嵌合部２３０、操作部２４０、操作レバー２４２は、第１の実施形態の挟持部１１０、嵌合部１３０、操作部１４０、操作レバー１４２と実質的に同様である。
【００３９】
（弾性部２２０）
弾性部２２０は、円弧状に屈曲することによる弾性により挟持部２１０の圧接力を変化させる部分である。弾性部２２０は、図５（ａ）で示したように、左右の操作部２４０の上部を円弧状に結合した場所にある。弾性部２２０は、嵌合部２３０を挟んで挟持部２１０と反対位置に配設されている。弾性部２２０は、肉薄の円弧状部２２２と、円弧状部の内周に連なる肉薄の小さめの円部２２４とからなる。円部２２４は、円弧状部２２２と操作部２４０上部に内接する構成となっている。円部２２４によって弾性部２２０のバネ性が強化でき、さらに円部２２４の内側に竿やハンガーなどのものを通しやすい。
【００４０】
洗濯ばさみ２００は、図５（ｂ）に示したように、第１の実施形態と同様に、中央の弾性部２２０を挟んで、弾性部２２０、操作部２４０、操作部２４０、操作レバー２４２、嵌合部２３０及び挟持部２１０が左右対称に一体に成型されている。このように、洗濯ばさみ２００も、第１の実施形態の洗濯ばさみ１００と同様に、弾性部２２０が存在することにより、挟持部２１０、嵌合部２３０、操作部２４０、操作レバー２４２の一体形成が実現している。
【００４１】
洗濯ばさみ２００の組み立て方法は第１の実施形態と同様である。また、洗濯ばさみ２００の使用方法は、第１の実施形態の使用方法に加えて、弾性部２２０の円部２２４が、円弧状部２２２及び操作部２４０の上部に内接する構成となっているため、バネ性が強化でき、さらに円部２２４の内側に竿やハンガー等の物が通せるような作りになっている。
【００４２】
（第２の実施形態の効果）
以上説明したように、本実施形態によれば、第１の実施形態の効果に加えて、弾性部２２０及び操作部２４０の上部に内接する形で小さめの円部２２４が形成されていることで、バネ性が強化でき、さらに円部２２４の内側空洞部分に竿やハンガー等の物を通すことが可能となっている。
【００４３】
（第３の実施形態）
第３の実施形態の洗濯ばさみ３００について、図６及び図７を参照しながら説明する。図６は、本実施形態の洗濯ばさみ３００を説明するための図であり、（ａ）は正面図であり、（ｂ）は平面図であり、（ｃ）は側面図であり、（ｄ）は底面図である。図７は、洗濯ばさみ３００の組み立て前の状態を示す図である。本実施形態は、上記第１の実施形態とは、挟持部３１０から嵌合部３３０まで挟持用アーム３１２が延設されている点と、弾性部３２０が、円弧状部３２２に外接するように連なる小さめの円弧状突起３２４を備える点とが異なるものであり、その他の構成は第１の実施形態と同様である。本実施形態では、上記第１の実施形態と異なる点を中心に説明する。実質的に同一の機能構成を有する構成要素については、同一の符号を付することにより重複説明を省略する。
【００４４】
本実施形態の嵌合部３３０、操作部３４０、操作部３４０、操作レバー３４２は、第１の実施形態の嵌合部１３０、操作部１４０、操作部１４０、操作レバー１４２と実質的に同様である。
【００４５】
（挟持部３１０）
挟持部３１０は、対抗する面の圧接力により洗濯物を挟む部分である。挟持部３１０は、図６に示したように、洗濯ばさみ３００の一方の端に位置している。挟持部３１０は、操作レバー３４２に押圧力が加わることで開閉し、物を挟むことが可能になる。挟持部３１０は、嵌合部３３０を挟んで弾性部３２０と反対位置にある。挟持部３１０は、弾性部３２０の弾性力により固く閉じ合い圧接される。
【００４６】
挟持部３１０から嵌合部３３０まで挟持用アーム３１２が延設される。挟持用アーム３１２は、左右外側が左右対称の円弧状に出ており、挟持されている状態になると、嵌合部３３０と挟持部３１０の間の挟持用アーム３１２部分が円状になる。
【００４７】
（弾性部３２０）
弾性部３２０は、円弧状に屈曲することによる弾性により挟持部３１０の圧接力を変化させる部分である。弾性部３２０は、図６（ａ）で示したように、左右の操作部３４０の上部を円弧状に結合した場所にある。弾性部３２０は、嵌合部３３０を挟んで挟持部３１０と反対位置に配設されている。弾性部３２０は、肉薄の円弧状部３２２と、円弧状部３２２に外接するように連なる小さめの円弧状突起３２４と、を備える。
【００４８】
洗濯ばさみ３００は、図７に示したように、第１の実施形態と同様に、中央の弾性部３２０を挟んで、弾性部３２０、操作部３４０、操作レバー３４２、嵌合部３３０及び挟持部３１０が左右対称に一体に成型されている。このように、洗濯ばさみ３００も、第１の実施形態の洗濯ばさみ１００と同様に、弾性部３２０が存在することにより、挟持部３１０、嵌合部３３０、操作部３４０、操作レバー３４２の一体形成が実現している。
【００４９】
洗濯ばさみ３００の組み立て方法は第１の実施形態と同様である。また、洗濯ばさみ３００の使用方法は、第１の実施形態の使用方法に加えて、弾性部３２０の円弧状部３２２に外接するように連なる小さめの円弧状突起３２４を設ける構成となっているため、バネ性が強化される。
【００５０】
（第３の実施形態の効果）
以上説明したように、本実施形態によれば、第１の実施形態の効果に加えて、弾性部３２０の円弧状部３２２に外接するように連なる小さめの円弧状突起３２４を設けるため、バネ性が強化される。
【００５１】
（第４の実施形態）
第４の実施形態の洗濯ばさみ４００について、図８及び図９を参照しながら説明する。図８は、第４の実施形態の洗濯ばさみ４００を説明するための図であり、（ａ）は正面図であり、（ｂ）は組み立て前の状態を示す図である。図９は、使用時の洗濯ばさみ４００の作用を説明するための図であり、（ａ）は使用時に力を加える部分を示す図であり、（ｂ）は力を加えた後の洗濯ばさみ４００の状態を示す図である。本実施形態の洗濯ばさみ４００は、操作レバー４４２の先端が挟持部４１０の先端まで延在する点が上記第１の実施形態とは異なり、その他の構成は第１の実施形態と同様である。本実施形態では、上記第１の実施形態と異なる点を中心に説明する。実質的に同一の機能構成を有する構成要素については、同一の符号を付することにより重複説明を省略する。
【００５２】
本実施形態の挟持部４１０、弾性部４２０、嵌合部４３０は、第１の実施形態の挟持部１１０、弾性部１２０、嵌合部１３０と実質的に同様である。
【００５３】
（操作レバー４４２）
操作レバー４４２は、図８に示したように、操作レバー４４２の先端が挟持部４１０の先端まで延在している点が第１の実施形態と相違しており、その他の点で第１の実施形態と同様である。操作レバー４４２の先端は、図８に示したように、挟持部４１０の先端近傍まで延在している。操作レバー４４２の先端を、挟持部４１０の先端近傍まで延設したことにより、洗濯ばさみ４００を組み立てたときの操作レバー４４２と挟持部４１０との間隔が、第１の実施形態の洗濯ばさみ１００より大きくなる。このため、挟持部４１０を開くときの把持操作が、操作レバーが短いときよりも弱い力で動作することが可能になる。なお、操作レバー４４２の先端を、挟持部４１０の先端よりも短くあるいは突出した位置まで延設してもよい。
【００５４】
洗濯ばさみ４００を使用するときには、図９（ａ）に示したように、左右の操作レバー４４２の先端近傍を、互いに近づける方向に握る。操作レバー４４２の先端が挟持部４１０の先端まで延在していることで、挟持部４１０を開くときの把持操作が、操作レバーが短いときよりも弱い力で動作する。操作レバー４４２の操作により、左右の操作レバー４４２には、図９（ｂ）の矢印Ｇで示したように、互いに近づく方向の圧力がかかる。このため、嵌合部４３０が回動して、挟持部４１０に図９（ｂ）の矢印Ｈで示した方向に力が加わり、挟持部４１０が左右に広がる。
【００５５】
また、同時に、弾性部４２０が変形するため、弾性部４２０には図９（ｂ）の矢印Ｉに示したように戻ろうとする力が加わる。よって、操作レバー４４２に押圧力をかけない状態にすると、弾性部４２０からの戻る力により嵌合部４３０が回動し左右の挟持部４１０が固く閉じる。
【００５６】
（第４の実施形態の効果）
以上説明したように、本実施形態によれば、第１の実施形態の効果に加えて、操作レバー４４２の先端が挟持部４１０の先端まで延在していることで、挟持部４１０を開くときの把持操作が、操作レバーが短いときよりも弱い力で動作することが可能になる。
【００５７】
（第５の実施形態）
第５の実施形態の洗濯ばさみ５００について、図１０を参照しながら説明する。図１０は、第５の実施形態の洗濯ばさみ５００を説明するための図であり、（ａ）は挟持部が閉じた状態を示す図であり、（ｂ）は挟持部が開いた状態を示す図である。本実施形態の洗濯ばさみ５００は、操作レバー５４２の内側に梃子用突起部５４４が設けられている点が上記第１の実施形態とは異なり、その他の構成は第１の実施形態と同様である。本実施形態では、上記第１の実施形態と異なる点を中心に説明する。実質的に同一の機能構成を有する構成要素については、同一の符号を付することにより重複説明を省略する。
【００５８】
本実施形態の挟持部５１０、弾性部５２０、嵌合部５３０は、第１の実施形態の挟持部１１０、弾性部１２０、嵌合部１３０と実質的に同様である。
【００５９】
操作部５４０の操作レバー５４２との対面側には、図１０（ａ）に示したように、操作レバー５４０が操作部５４０を押圧する押圧力を大きくするための梃子用突起部５４４が設けられている。梃子用突起部５４４は、操作レバー５４２の根元部分近傍に配置されており、挟持部５１０が閉じた状態のときに操作レバー５４２に当接又は近接する位置まで突出している。なお、梃子用突起部５４４は、操作レバー５４２に設けてもよく、また、操作部５４０と操作レバー５４２の両方に設けてもよい。
【００６０】
挟持部５１０が閉じた状態のときには、図１０（ａ）に示したように、操作レバー５４２は梃子用突起部５４４を押圧していない。操作レバー５４２を把持して、図１０（ｂ）の矢印Ｊに示すように互いに近づく方向に操作すると、操作レバー５４２が梃子用突起部５４４を押圧して左右の操作部５４０が互いに近づく方向に押し込まれる。よって、嵌合部５３０が回動して、挟持部５１０が図１０（ｂ）の矢印Ｋに示すように互いに離間するように左右に広がる。
【００６１】
弾性部５２０には図１０（ｂ）の矢印Ｌに示したように戻ろうとする力が加わる。よって、操作レバー５４２に圧力をかけない状態にすると、弾性部５２０からの戻る力により嵌合部５３０が回動し左右の挟持部５１０が固く閉じる。
【００６２】
（第５の実施形態の効果）
以上説明したように、本実施形態によれば、操作レバー５４２を押圧操作すると、梃子用突起部５４４が梃子の働きをして操作部５４０を動かすことができるため、挟持部５１０の操作性を向上させることができる。また、より小さい操作力で挟持部５１０を操作することができる。
【００６３】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６４】
例えば、上記実施形態では、挟持具として洗濯ばさみを例にとって説明したが、本発明はこの例に限定されない。例えば、文具や家庭用雑貨等、各種クリップやピンチ製品等の挟持具にも応用が可能である。
【００６５】
また、上記実施形態では、一体に成型した洗濯ばさみとしたが、本発明はこの例に限定されない。一体の１つの部品として形成できるのであれば、必ずしも成型により形成する必要はない。
【００６６】
また、上記第１〜第４の実施形態では、操作レバーが設けられている構成を例にとって説明したが、本発明はこの例に限定されない。操作レバーが設けられていない構成であっても、操作部を直接把持して操作すれば、本発明の効果が得られる。
【００６７】
上記実施形態、応用例、変形例は、任意に組み合わせて実施することができる。
【符号の説明】
【００６８】
１００、２００、３００、４００、５００  洗濯ばさみ（挟持具）
１１０、２１０、３１０、４１０、５１０  挟持部
１２０、２２０、３２０、４２０、５２０  弾性部
１３０、２３０、３３０、４３０、５３０  嵌合部
１３２  嵌合突部
１３４  嵌合凹部
１４０、２４０、３４０、４４０、５４０  操作部
１４２、２４２、３４２、４４２、５４２  操作レバー
２２２  円弧状部
２２４  円部
３１２  挟持用アーム
３２２  円弧状部
３２４  円弧状突起
５４４  梃子用突起部
【図１】
2019000238.tif 000003
【図２】
2019000238.tif 000004
【図３】
2019000238.tif 000005
【図４】
2019000238.tif 000006
【図５】
2019000238.tif 000007
【図６】
2019000238.tif 000008
【図７】
2019000238.tif 000009
【図８】
2019000238.tif 000010
【図９】
2019000238.tif 000011
【図１０】
2019000238.tif 000012
【図１１】
2019000238.tif 000013